(57)【要約】【課題】  太陽光発電用系統連系インバータの評価試験等での使用に適した小型で安価な太陽電池模擬電源装置を提供する。【解決手段】  直流定電流発生装置１により出力電流を発生させ、出力電圧を生成するための複数のダイオードＤからなる電圧生成手段２を直流定電流発生装置１に並列に接続した。更に、電圧生成手段２と並列に太陽電池の漏れ電流を擬似発生させる第１抵抗素子Ｒ１を配置すると共に、出力電流経路に太陽電池の内部抵抗を模擬して第２抵抗素子Ｒ２を介在させた。【選択図】  図３
2009244947.tif 000002
【特許請求の範囲】
【請求項１】
太陽光発電用系統連系インバータの評価試験を行う際に使用する太陽電池模擬電源装置であって、出力電流を発生させるための直流定電流発生装置と、出力電圧を発生させるために前記直流定電流発生装置に並列に接続した半導体素子からなる電圧生成手段とを有することを特徴とする太陽電池模擬電源装置。
【請求項２】
前記直流定電流発生装置と並列に、太陽電池の漏れ電流を擬似発生させる第１抵抗素子を配置すると共に、前記出力電流経路に太陽電池の内部抵抗を模擬する第２抵抗素子を介在させた請求項１記載の太陽電池模擬電源装置。
【発明の詳細な説明】
【技術分野】
【０００１】
本発明は、太陽電池の特性を模擬して太陽光発電用系統連系インバータの評価試験を行う際に太陽電池に代えて使用する太陽電池模擬電源装置に関する。
【背景技術】
【０００２】
太陽光発電用系統連系インバータの試験において、インバータに入力する直流電源は、太陽電池の代わりに太陽電池模擬電源装置が用いられる。これは、太陽電池を使ったのでは様々な日照条件での再現性ある試験を行うことが困難なためである。このような用途で使用される太陽電池模擬電源装置は、接続予定の太陽電池の様々な日照条件下における出力特性を再現可能となっている（例えば、特許文献１参照）。
しかしながら、このような特性を示す太陽電池模擬電源装置は複雑な構成なため大型で高価なものとなっている。一方で、特許文献２に開示されている太陽光発電システムの機能検証装置では太陽電池の代わりに直流発電機を用い、その出力に可変抵抗を接続してインバータの最大電力追従検証を行う構成が開示されている。
【特許文献１】特開平８−１８４６５３号公報
【特許文献２】特開平１１−１７５１７６号公報
【発明の開示】
【発明が解決しようとする課題】
【０００３】
太陽光発電用系統連系インバータの開発初期段階での評価試験、例えば最大電力追従機能の実現性評価や制御安定性の評価においては、太陽電池の基本的な特性を出力できる模擬電源で十分な場合が多く、太陽電池の模擬特性の精巧さよりも小型で持ち運び易くそして安価なものが望まれている。そのため、上記特許文献２に記載されているような構成のものが好まれている。
【０００４】
しかしながら、特許文献２に開示された模擬電源は、直流発電機を使用しているため図５に示すような出力特性を示し、太陽光発電より風力発電に近い特性となっていた。そのため、より実際の太陽光発電の特性に近く、それでいて安価で移動し易いものが望まれていた。尚、図６は太陽電池の出力特性の概略を示すもので、図５，図６において（ａ）は出力電流−出力電圧特性を示し、（ｂ）は出力電力−出力電圧特性を示している。  
【０００５】
そこで、本発明はこのような問題点に鑑み、太陽光発電用系統連系インバータの評価試験等での使用に適した小型で安価な太陽電池模擬電源装置を提供することを目的とする。
【課題を解決するための手段】
【０００６】
上記課題を解決する為に、請求項１の発明は、太陽光発電用系統連系インバータの評価試験を行う際に使用する太陽電池模擬電源装置であって、出力電流を発生させるための直流定電流発生装置と、出力電圧を発生させるために前記直流定電流発生装置に並列に接続した半導体素子からなる電圧生成手段とを有することを特徴とする。
この構成によれば、太陽電池の出力する電流−電圧特性と略同一の特性を得ることができ、系統連系インバータの評価試験を太陽電池を接続した如く行うことができる。そして、小型に構成できるし安価に作製できる。
【０００７】
請求項２の発明は、請求項１に記載の発明において、前記直流定電流発生装置と並列に、太陽電池の漏れ電流を擬似発生させる第１抵抗素子を配置すると共に、前記出力電流経路に太陽電池の内部抵抗を模擬する第２抵抗素子を介在させたことを特徴とする。
この構成によれば、漏れ電流や太陽電池の内部抵抗を再現でき、より太陽電池に近い特性を得ることができる。
【発明の効果】
【０００８】
本発明によれば、太陽電池の出力する電流−電圧特性と略同一の特性を得ることができ、系統連系インバータの評価試験を太陽電池を接続した如く行うことができる。そして、小型に構成できるし安価に作製できる。
【発明を実施するための最良の形態】
【０００９】
以下、本発明を具体化した実施の形態を、図面に基づいて詳細に説明する。図１は本発明に係る太陽電池模擬電源装置の一例を示し、太陽光発電電流を擬似発生させるための直流定電流発生装置１と、複数のダイオードＤが直列接続された電圧生成手段２を備え、Ｐ，Ｎは出力端子である。電圧生成手段２は直流定電流発生装置１に並列に接続され、且つ出力端子Ｐ，Ｎ間に配置されている。直流定電流発生装置１は、所定の電流を発生させることができる公知の定電流源が使用できる。
【００１０】
図２はこの太陽電池模擬電源装置の出力特性を示している。具体的に、電圧生成手段２は、２７２個のダイオードＤを直列接続して構成され、出力端子Ｐ，Ｎ間に負荷抵抗３を接続した状態での出力電流（Ｉ）−出力電圧（Ｖ）特性を示している。例えば、直流定電流発生装置１の出力電流Ｉｄｃを６．３２Ａで一定として、負荷抵抗３を変化させた場合がＳ１であり、出力電流Ｉｄｃを５．０６Ａで一定として、負荷抵抗３を変化させた場合がＳ２である。そして、出力電流Ｉｄｃを更に変化させ、１．２６Ａまで変化させた場合を示している。
【００１１】
この出力特性に示すように、最大出力電力１１００Ｗの１ｋＷ系統連系インバータ用の太陽電池模擬電源装置を構成し、上記図６の太陽電池の出力特性と比較しても、太陽電池のＩ−Ｖ特性が模擬できていることがわかる。そして、直流定電流発生装置１の出力電流Ｉｄｃを変化させることで、日照条件が変化した場合の、太陽電池の出力変化を模擬でき、系統連系インバータの評価試験を太陽電池を接続した如く行うことができる。
よって、太陽光発電用系統連系インバータの開発段階における最大電力点追従機能に実現性評価や制御安定性の評価を容易に行うことができ、直流定電流発生装置１とダイオードＤのシンプルな構成であるため、小型、軽量、低価格とすることができる。
【００１２】
図３は本発明の他の例を示している。直流定電流発生装置１と電圧生成手段２の構成は上記図１と同様であるが、電圧生成手段２に並列に第１抵抗素子Ｒ１を設け、一方の出力端子Ｐに直列に第２抵抗素子Ｒ２を設けている点が異なっている。
第１抵抗素子Ｒ１は例えば１０００Ω、第２抵抗素子は例えば１Ωであり、第１抵抗素子Ｒ１は太陽電池に発生する漏れ電流を擬似発生させるために設けられ、第２抵抗素子Ｒ２は太陽電池の内部抵抗を擬似発生させるために設けられている。
【００１３】
このように構成された太陽電池模擬電源装置の出力特性は図４に示すようになる。この図４に示すように、Ｔ１は直流定電流発生装置１の出力電流Ｉｄｃを６．３２Ａで一定として、負荷抵抗３を変化させた場合であり、Ｔ２は出力電流Ｉｄｃを５．０６Ａで一定として、負荷抵抗３を変化させた場合である。そして、同様にして出力電流Ｉｄｃを１．２６Ａまで変化させた場合を示し、何れも上記図２のＳ１，Ｓ２等の特性に比べて、より実際の太陽電池に近い特性を得ることができる。
このように、第１抵抗素子Ｒ１は太陽電池に発生する漏れ電流を擬似発生させ、第２抵抗素子により太陽電池の内部抵抗を擬似発生させることで、より実際の太陽電池に近い特性を得ることができる。
【００１４】
尚、上記実施形態は、電圧生成手段２としてダイオードを複数連結したものを使用しているが、ツェナーダイオードやバリスタも同様に定電圧を生成させることができる。そのため、生成させたい電圧に合わせてこれらの半導体素子を複数連結して電圧生成手段２を構成しても良い。
また、第１抵抗素子Ｒ１、第２抵抗素子Ｒ２の値は上記数値に限定するものではなく、第１抵抗素子は漏れ電流を擬似発生させるための抵抗、第２抵抗素子は内部抵抗を擬似発生させるものであり、実際に使用する太陽電池の特性に合わせて設定すればよい。
【図面の簡単な説明】
【００１５】
【図１】本発明に係る太陽電池模擬電源装置の実施形態の一例を示す構成図である。
【図２】図１の装置の出力電流−出力電圧特性を示す。
【図３】本発明の他の形態を示す構成図である。
【図４】図３の装置の出力電流−出力電圧特性を示す
【図５】従来の太陽電池模擬電源装置の特性を示し、（ａ）は出力電流−出力電圧特性、（ｂ）は出力電力−出力電圧特性である。
【図６】太陽電池の特性を示し、（ａ）は出力電流−出力電圧特性、（ｂ）は出力電力−出力電圧特性である。
【符号の説明】
【００１６】
１・・直流定電流発生装置、２・・電圧生成手段、Ｄ・・ダイオード、Ｒ１・・第１の抵抗素子、Ｒ２・・第２の抵抗素子。
【図１】
2009244947.tif 000003
【図２】
2009244947.tif 000004
【図３】
2009244947.tif 000005
【図４】
2009244947.tif 000006
【図５】
2009244947.tif 000007
【図６】
2009244947.tif 000008